【手続補正書】
【提出日】平成26年5月1日(2014.5.1)
【手続補正１】
【補正対象書類名】特許請求の範囲
【補正対象項目名】全文
【補正方法】変更
【補正の内容】
【特許請求の範囲】
【請求項１】
第１の端部および第２の端部を有し、前記第１の端部と前記第２の端部との間に延在する長手方向軸を有するハンドルと、
前記長手方向軸に平行に、または該長手方向軸に沿って、前記ハンドルの少なくとも一部分上に着脱可能にかつ摺動可能に取付けられたカートリッジアセンブリであって、
第１の端部および第２の端部ならびに前記第１の端部近傍に画定されたロック孔を有し、中空のキャビティを画定し、前記ハンドルの前記第２の端部上に摺動可能に取付けられる、刃ガード、
前記刃ガードの前記キャビティ内に摺動可能に取付けられ、少なくとも１つの前脚部および少なくとも１つの後脚部を有する、刃ホルダであって、前記少なくとも１つの後脚部は、一対の前足部および一対の後足部を有し、前記一対の後足部は、バネ仕掛けとすることができ、前記刃ガードの前記ロック孔内に受容されることができる、刃ホルダ、および、
前記刃ホルダが前記刃ガードの前記キャビティ内で摺動すると、前記刃が、前記刃ガードの前記第２の端部から延出するか、または前記第２の端部内に後退するように、前記刃ホルダと共働して嵌合するようにキー溝を付けられた刃
を備える、カートリッジアセンブリと
を備える安全メス。
【請求項２】
前記カートリッジアセンブリは、前記刃ホルダに取付けられた作動部材をさらに備え、前記作動部材は、前記刃を延出させ、また前記刃を後退させるように前記刃ホルダを作動させる、請求項１に記載の安全メス。
【請求項３】
前記ハンドルがさらに、
前記第１の端部から、前記第１の端部と前記第２の端部との間に配置されたロック部まで延在する保持部、および、
前記第２の端部から前記ロック部まで延在する係合部
を備え、
前記カートリッジアセンブリが、前記長手方向軸に平行に、前記ハンドルの前記係合部上に着脱可能にかつ摺動可能に取付けられ、
前記刃ガードが前記ハンドルの前記第２の端部上に摺動可能に取付けられて、前記係合部を覆い、刃ガードの前記第１の端部が前記ロック部と係合し、
前記カートリッジアセンブリはさらに、前記刃ホルダに取付けられた作動部材であって、前記刃ガードの前記第２の端部の外側の延出位置と前記刃ガードの前記第２の端部内の後退位置との間で前記刃の一部分を移動させるように前記刃ホルダを作動させるように構成された作動部材を備える、請求項１に記載の安全メス。
【請求項４】
前記作動部材は、前記刃ホルダのステム受容孔内に挿入可能なステムを備える、請求項１または３に記載の安全メス。
【請求項５】
前記ハンドルの前記係合部は、前記カートリッジアセンブリが前記ハンドル上でどれだけ遠くまで摺動可能に取付けられるかを制限する壁を有する、請求項３に記載の安全メス。
【請求項６】
前記ハンドルの前記保持部は印を備える、請求項３に記載の安全メス。
【請求項７】
前記ロック部は、前記刃ガードの前記第１の端部と係合し、前記ハンドルに対する前記カートリッジアセンブリのぐらつきを低減するために前記刃ガードと嵌合するようにキー溝を付けられる、請求項３に記載の安全メス。
【請求項８】
前記ハンドルは、前記延出位置において、前記ハンドルに対する前記刃のぐらつきを低減するために前記刃ホルダと係合するための、前記ハンドルから延在するぐらつき防止デテントを備える、請求項３に記載の安全メス。
【請求項９】
前記カートリッジアセンブリは、前記刃ガードのある面に配置されたロックスナップを備え、前記ロックスナップは、前記ハンドルの孔と係合して、前記カートリッジアセンブリが、前記ハンドルに取付けられた後に前記ハンドルから滑り落ちることを防止する、請求項１または３に記載の安全メス。
【請求項１０】
前記カートリッジアセンブリは、前記ロックスナップを前記孔から持上げることによって前記ハンドルから脱離させられる、請求項９に記載の安全メス。
【請求項１１】
前記刃ガードの少なくとも１つの面がグリップを含み、前記グリップは、前記刃ガードの前記少なくとも１つの面の表面に沿って画定された複数のＵ字状切欠きを備える、請求項１または３に記載の安全メス。
【請求項１２】
前記刃ガードの少なくとも１つの面から延在する位置インジケータをさらに備え、前記位置インジケータは、患者の組織のどれほど深くまでユーザが切開したかという視覚および触覚表示を提供する、請求項１または３に記載の安全メス。
【請求項１３】
前記ハンドルの前記係合部は、前記カートリッジアセンブリを収容するために前記ハンドルの前記保持部より狭く、かつ、薄い、請求項３に記載の安全メス。
【請求項１４】
前記ハンドルはステンレス鋼である、請求項１または３に記載の安全メス。
【請求項１５】
前記刃は、炭素、ステンレス鋼、またはその組合せである、請求項１または３に記載の安全メス。
【請求項１６】
前記刃ガード、前記刃ホルダ、および前記作動部材は、ポリカーボネート材料で形成される、請求項１または３に記載の安全メス。
【請求項１７】
前記カートリッジアセンブリは使い捨て式である、請求項１または３に記載の安全メス。
【請求項１８】
前記ハンドルは、前記係合部の対向する面に沿う一対の傾斜部をさらに備え、前記刃ホルダの前記少なくとも１つの後脚部は、前記一対の傾斜部に沿って、かつ該一対の傾斜部上を摺動する、請求項３に記載の安全メス。
【手続補正２】
【補正対象書類名】明細書
【補正対象項目名】００３５
【補正方法】変更
【補正の内容】
【００３５】
カートリッジアセンブリ３００が使用中にハンドル２００から滑り落ちることおよび／またはハンドル２００に対して相対移動することを防止するために、カートリッジアセンブリ３００は、ハンドル２００の係合部２３０上に取付けられると、ハンドル２００に対して所定位置にロックすることができる。カートリッジアセンブリ３００のシールド４００は、シールド４００の第２の面上に配置されうるロックスナップ４１０を備えることができる。ロックスナップまたはタブ４１０は、ハンドル２００の係合部上の孔２４０と係合して、カートリッジアセンブリ３００がハンドル２００に取付けられた後にハンドル２００から滑り落ちることを防止する。換言すれば、孔２４０は、ロックスナップ４１０を受容することができる。
【手続補正３】
【補正対象書類名】明細書
【補正対象項目名】００３７
【補正方法】変更
【補正の内容】
【００３７】
もう一度シールド４００を参照すると、シールド４００は、第１の面に沿って長手方向に延在するスロット４２０を有することができる。スロット４２０は、シールド４００の第１の端部４０４の近傍のスライダ非係合端４２２から第２の端部４０６の近傍のスライダ係合端４２４まで延在する。他の所で述べるように、スライダ５００は、さらに、ボタン７００を担持することができる。ボタン７００は、スロット４２０に沿って第１の端部（スライダ非係合端４２２）から第２の端部（スライダ係合端４２４）まで、また、その逆に移動させられうる。ボタン７００は、ステム７０２によりスライダ５００に取り付けることができる。ボタン７００のヘッド７０４は、シールド４００の外に配設されることができる一方で、スライダ５００はシールド４００内に留まる。
【手続補正４】
【補正対象書類名】明細書
【補正対象項目名】００４０
【補正方法】変更
【補正の内容】
【００４０】
図１および図１１Ａ〜１１Ｂに全体的に示されるスライダ５００は、ハンドル２００およびシールド４００と摺動可能に係合することができる。スライダ５００がシールド４００およびハンドル２００に対して摺動するにつれて、スライダ５００および刃６００は、シールド４００内から延出することができ、また、シールド４００内に後退して戻ることができる。外科医または医療専門家などのユーザは、ボタン７００をスライダ非係合端４２２からスライダ係合端４２４へ移動させることによってシールド４００内から刃６００を延出させることができる。ユーザは、ボタン７００をスライダ係合端４２４からスライダ非係合端４２２へ移動させて戻すことによって刃６００をシールド３００内に後退させて戻すことができる。
【手続補正５】
【補正対象書類名】明細書
【補正対象項目名】００５２
【補正方法】変更
【補正の内容】
【００５２】
シールド４００は、前側壁に広がるスロット４２０を備えることができる。スロット４２０は、長尺状をなすことができ、メス１００の軸２０１と略平行に配向されうる。スロット４２０は、スロット４２０の端部に開口４２２および４２４、すなわちスライダ非係合端部４２２およびスライダ係合端４２４を備えることができる。スロット４２２および４２４は、スライダを設定位置に維持するための延長部４２５を有することができる。
【手続補正６】
【補正対象書類名】明細書
【補正対象項目名】００５４
【補正方法】変更
【補正の内容】
【００５４】
上述したように、安全メス１００は、刃６００を延出する／後退させるように構成される。たとえば、この珍しくない／直観的な行為は、従来のボックスカッターデバイスを使用する場合に似ている。ユーザが、刃を露出させるためにシールドを後方に摺動させ、また、意識的に刃を覆うために、より一層ぎこちなくシールドを前方に摺動させなければならない、従来の一部のメスとは対照的に、本安全メス１００は、ボタン７００を下に押してシールド４００に沿ってボタン７００を長手方向に摺動させることによって刃６００を延出させ、また後退させるように構成されている。
【手続補正７】
【補正対象書類名】明細書
【補正対象項目名】００５６
【補正方法】変更
【補正の内容】
【００５６】
シールド４００は、孔２４０からロックスナップ４１０を持上げることによってハンドルから脱離されることができる。これは、鉗子、ロングノーズプライヤ、または他の同様な器具のセットの使用を必要とする場合がある。ロックスナップ４１０が孔２４０から取外されると、シールド４００、およびより一般的にはカートリッジアセンブリ３００は、ハンドル２００の保持部２１０から離れるようにシールド４００を引張ることによって取外すことができる。
【手続補正８】
【補正対象書類名】明細書
【補正対象項目名】００５８
【補正方法】変更
【補正の内容】
【００５８】
さらなる安全性のために、スライダ５００は、カートリッジアセンブリ３００がハンドル上に取付けられていないときに、シールド４００内でロックされて、刃６００の偶発的な延出を防止してもよい。図１に示すように、シールド４００は、第１の端部４０４の近傍に位置するスライダロック孔４５０を備えることができる。スライダ５００は、一方、一対の脚部−少なくとも１つの前脚部５１０および少なくとも１つの後脚部５２０−を備える。後脚部５２０は、一対の前足部５２２および５２４ならびに一対の後足部５２６および５２８を備えることができる。ばね仕掛けとすることができる後足部５２６および５２８は、１つまたは複数の穴を備えることができるロック孔４５０内に受容されることができる。図面に示すように、ロック孔４５０は、２つの別個の異なる孔を含むことができ、各孔は、後足部５２６または５２８の少なくとも一方を受容する。シールド４００の後足部５２６および５２８は、シールド４００のロック孔内でロックされるため、刃６００も担持するスライダ５００は、シールド４００から延出するように移動できず、したがって、一旦組立てられると、ユーザを偶発的に傷つけたり怪我を負わせたりすることができない。
【手続補正９】
【補正対象書類名】明細書
【補正対象項目名】００６２
【補正方法】変更
【補正の内容】
【００６２】
上述したように、カートリッジアセンブリ３００は、ハンドル２００の係合部２３０に固定することができる。ハンドル２００の第２の端部２０４は、シールド４００の第１の端部４０４の第１の開口４０７に挿入することができる。ハンドル２００は、係合部２３０の対向する面に沿って一対の傾斜部２３２を備える。スライダ５００の延出部材５０２は、係合部２３０のキー溝２３６に嵌入するような寸法とされる。カートリッジアセンブリ３００がハンドル２００の係合部２３０を受容すると、延出部材５０２がキー溝２３６と係合し、後脚部５２０が傾斜部２３２に沿って摺動する。孔２４０と係合するロックスナップ４１０を備えるカートリッジアセンブリ３００がハンドルに固定されると、シールドの第１の端部４０４は、ハンドル２００のロック部２２０を受容する。ロック部２２０は、シールド４００の第１の端部４０４の第１の開口４０７の一部に挿入可能である。たとえば、第１の開口４０７は、ロック部２２０と共働して係合するために、面取りされた角を有することができる。カートリッジアセンブリ３００がハンドルの係合部２３０に沿って摺動するにつれて、スライダ５００の後脚部５２０は、傾斜部２３２に沿って摺動する。これにより、後脚部５２０が持上げられ、シールド４００のロック孔４５０から外れる。その結果、ボタン７００が押下されると、スライダ５００がシールド４００内で摺動することができ、ボタン７００が、シールド４００のスロット４２０に沿って摺動して、最終的に刃６００を露出させて延出させることができる。
【手続補正１０】
【補正対象書類名】明細書
【補正対象項目名】００６７
【補正方法】変更
【補正の内容】
【００６７】
図１〜６、図８Ａ〜９、および図１５Ａ〜１５Ｂは、カートリッジアセンブリ３００の例示的な実施形態の斜視図を示す。述べたように、カートリッジアセンブリ３００は、シールド４００、スライダ５００、および刃６００を備えることができる。カートリッジアセンブリ３００は、ハンドル２００に取付けることができ、廃棄および／または交換のために容易に取外すことができる。カートリッジアセンブリ３００は、第２の端部２０４を第１の開口４０７に挿入することによって、メスハンドル２００の係合部２３０に確実に外嵌することができる。ロックスナップ４１０は、カートリッジアセンブリ３００をハンドル２００上に固定するために孔２４０と係合することができ、使用中にカートリッジ３００がハンドル２００から滑り落ちることを防止する。
【手続補正１１】
【補正対象書類名】明細書
【補正対象項目名】００６８
【補正方法】変更
【補正の内容】
【００６８】
スライダ５００は、メスハンドル２００の係合部２３０とシールド４００の前側壁との間において、シールド４００内に配設することができる。スライダ５００は、ユーザがボタン７００を移動させるにつれて、係合部２３０上を摺動することができる。
【手続補正１２】
【補正対象書類名】明細書
【補正対象項目名】００６９
【補正方法】変更
【補正の内容】
【００６９】
スライダ５００は、ボタン７００を押下しシールド４００の第１の端部４０４に向かって引張ることによって、ロック位置から後退させることができる。メス１００は、スライダ５００が完全に後退させられた状態で保管され、取り扱われるように設計される。この位置では、刃６００は、シールド４００によって完全に覆われ、メス１００は、刃６００の鋭利な切刃が露出しないため、取り扱うのに安全である。